(57)【要約】【課題】ズーム時の画質を改善し、処理時間を短縮し、消費電力を低減する。【解決手段】画像を撮影する撮影素子１２と、撮影した画像を記録媒体６０に記録する記録手段５０と、記録媒体６０から撮影された画像を読み出して一時的に記憶するメモリ領域３０と、メモリ領域３０から画像を読み出してリサイズを行うリサイズ回路１７と、リサイズ回路１７によってリサイズされた画像を表示のために一時的に記憶する画像表示メモリ領域２２と、画像表示メモリ領域２２から所望の領域を読み出して画像をリサイズ表示するリサイズ表示回路２４とを具備する。【選択図】　図１
2004112713.tif 000002
【特許請求の範囲】
【請求項１】
画像を撮影する撮影手段と、
撮影した画像を記録媒体に記録する記録手段と、
前記記録媒体から撮影された画像を読み出して一時的に記憶するメモリと、
前記メモリから画像を読み出してリサイズを行うリサイズ手段と、
前記リサイズ手段によってリサイズされた画像を表示のために一時的に記憶する画像表示メモリと、
前記画像表示メモリから所望の領域を読み出して画像をリサイズ表示するリサイズ表示手段
とを具備する映像信号処理装置であって、
所望の倍率を指定している最中は、前記リサイズ表示手段によって所望の領域を読み出してリサイズ表示し、倍率が確定した後は、前記メモリから元画像を読み出して前記リサイズ手段で所定の倍率にリサイズして画像表示メモリに記憶し、リサイズ画像の所望の位置をリサイズせずに表示することを特徴とする映像信号処理装置。
【請求項２】
拡大表示において元画像の解像度が足りなくなった場合は、倍率の確定後、元画像のリサイズなしで前記画像表示メモリに画像を記憶し、所望の領域を前記画像表示メモリから前記リサイズ表示手段によって読み出してリサイズ表示することを特徴とする請求項１に記載の映像信号処理装置。
【請求項３】
更に、撮影した画像を圧縮する圧縮手段と、圧縮された画像を伸長する伸長手段とを具備する請求項１に記載の映像信号処理装置。
【請求項４】
前記圧縮手段が、
画像信号をラスタ順次で入力して、所望のブロックサイズの、ブロック順次の画像信号を発生するラスタ・ブロック変換手段と、
前記ラスタ・ブロック変換手段が発生するブロック順次の画像信号を受け取って圧縮するブロック圧縮手段
とを具備する請求項３に記載の映像信号処理装置。
【請求項５】
前記伸長手段が、
前記圧縮手段がブロック順次の画像信号を受け取って圧縮した信号を伸長するブロック伸長手段と、
画像信号をブロック順次で入力して、ラスタ順次の画像信号を発生するブロック・ラスタ変換手段
とを具備する請求項３に記載の映像信号処理装置。
【請求項６】
設定倍率がメモリに記憶される元画像の解像度の範囲内である場合に、当該メモリから元画像を読み出し当該設定倍率でリサイズして、画像表示メモリに格納し、当該画像表示メモリに格納される画像の指定範囲を表示する第１の表示ステップと、
当該設定倍率がメモリに記憶される元画像の解像度の範囲を超える場合に、当該メモリから元画像を読み出して画像表示メモリに格納し、当該画像表示メモリに格納される画像の指定範囲を当該設定倍率でリサイズして表示する第２の表示ステップ
とを具備することを特徴とする映像信号処理方法。
【請求項７】
更に、倍率設定中に、当該画像表示メモリに記憶される画像の指定範囲を設定中の倍率でリサイズして表示する初期表示ステップを具備する請求項６に記載の映像信号処理方法。
【発明の詳細な説明】
【０００１】
【発明の属する技術分野】
本発明は、映像信号処理装置及び方法に関し、特に、例えば液晶モニタを有し、専ら、バッテリ駆動にて動作する電子スチルカメラ及びビデオカメラなどの映像信号処理装置及び方法に関する。
【０００２】
【従来の技術】
この種の映像信号処理装置が、特開平１０−３３６４９４公報に記載されている。所望の被写体像を固体撮像素子にて撮像し、その画像を表す画像信号をデジタルの画像データに変換して、メモリカードなどの記録媒体に記録する。記録された画像データは任意に読み出して、そのデータで表される画像を、搭載されている液晶モニタで再生することができる。
【０００３】
このようなデジタルカメラとしては、再生中に注目領域を拡大表示できるものが知られており、同公報にも、ズーム表示機能付デジタルカメラが記載されている。即ち、２枚のフレームメモリを備えており、第１のフレームメモリには再生画像を、第２のフレームメモリには注目領域を選択する選択枠が格納される。選択枠は再生画像と重畳して表示され、ユーザは所望の倍率の選択枠を選択し、この選択枠を注目領域に移動させると、画像は第１のフレームメモリ上で画素補間法により拡大されて、液晶モニタに表示される。
【０００４】
【発明が解決しようとする課題】
しかし、従来のデジタルカメラでは、拡大をする度にフレームメモリを更新するので、その度に発生するメモリアクセスと拡大処理の時間は、倍率の様子見で拡大をしているユーザにとってはストレスを感じさせるものであったし、またその度に余分な電力を消費していた。さらに、フレームメモリは液晶モニタ表示用であり、フレームメモリ上の画像は撮影された画像よりも粗い。それにもかかわらず、このデジタルカメラでは拡大画像をフレームメモリ上の粗い画像から拡大補間して新たなフレームメモリを構成するため、倍率確定後の画像としてはかなり粗いものであった。
【０００５】
加えて、一旦拡大した画像を縮小したい場合には、圧縮された元画像から伸長を経て新たにフレームメモリを構成しなおしてからさらに拡大する必要があり、拡大よりもさらに処理時間と消費電力がかかるものであった。
【０００６】
本発明は、これらの従来技術の問題を解決して、リサイズ倍率が確定するまではユーザの操作に追従して低消費電力でリサイズ表示をおこない、倍率確定後はきめ細かい画像を表示する映像信号処理装置及び方法を提供することを目的とする。
【０００７】
【課題を解決するための手段】
本発明に係る映像信号処理装置は、画像を撮影する撮影手段と、撮影した画像を記録媒体に記録する記録手段と、前記記録媒体から撮影された画像を読み出して一時的に記憶するメモリと、前記メモリから画像を読み出してリサイズを行うリサイズ手段と、前記リサイズ手段によってリサイズされた画像を表示のために一時的に記憶する画像表示メモリと、前記画像表示メモリから所望の領域を読み出して画像をリサイズ表示するリサイズ表示手段とを具備する映像信号処理装置であって、所望の倍率を指定している最中は、前記リサイズ表示手段によって所望の領域を読み出してリサイズ表示し、倍率が確定した後は、前記メモリから元画像を読み出して前記リサイズ手段で所定の倍率にリサイズして画像表示メモリに記憶し、リサイズ画像の所望の位置をリサイズせずに表示することを特徴とする。
【０００８】
本発明に係る映像信号処理方法は、設定倍率がメモリに記憶される元画像の解像度の範囲内である場合に、当該メモリから元画像を読み出し当該設定倍率でリサイズして、画像表示メモリに格納し、当該画像表示メモリに格納される画像の指定範囲を表示する第１の表示ステップと、当該設定倍率がメモリに記憶される元画像の解像度の範囲を超える場合に、当該メモリから元画像を読み出して画像表示メモリに格納し、当該画像表示メモリに格納される画像の指定範囲を当該設定倍率でリサイズして表示する第２の表示ステップとを具備することを特徴とする。
【０００９】
【実施例】
以下、図面を参照して、本発明の実施例を詳細に説明する。
【００１０】
図１は、本発明の一実施例である映像信号処理装置１００の概略厚生部六図を示す。
【００１１】
１０は撮影レンズ、１２は光学像を電気信号に変換する撮像素子、１４は撮像素子１２のアナログ信号出力をデジタル信号に変換するＡ／Ｄ変換器である。１６は画像処理回路であり、Ａ／Ｄ変換器１４の出力データに色キャリア除去、アパーチャ補正及びガンマ処理等を施して輝度信号を作り、同時に色補間、マトリクス変換、ガンマ処理及びゲイン調整等を施して色差信号を作り、ＹＵＶ　形式の映像データを形成する。１７は画像データを所望のサイズにリサイズするリサイズ回路である。１８はメモリ制御回路であり、ＤＲＡＭ２１の画像表示メモリ領域２２及びメモリ領域３０を制御する。
【００１２】
２０は撮像素子１２、　Ａ／Ｄ変換器１４及び　Ｄ／Ａ変換器２６にクロック信号及び制御信号を供給するタイミング発生回路であり、システム制御回路４０により制御される。
【００１３】
２４は画像表示メモリ領域２２から読み出された所望の領域を画像表示部２８に表示するためにリサイズするリサイズ表示回路、２６はＤ／Ａ変換器、２８は、テレビモニタ又はそれに準じた液晶モニタから成る画像表示部である。
【００１４】
撮像素子１２から出力される画像信号は、Ａ／Ｄ変換器１４を介して画像処理回路１６に入力し、必要があればリサイズ回路１７でリサイズ処理を行い、処理された画像データを、メモリ制御回路１８を介して画像表示メモリ領域２２に順次入力する。それを、必要があればリサイズ表示回路２４でリサイズ表示処理をし、Ｄ／Ａ変換器２８を介して画像表示部２８に順次表示すれば、電子ビューファインダを実現できる。ただし、本実施例ではこの手順又は処理にとらわれず、Ａ／Ｄ変換したものをいったん画像表示メモリ領域２２に格納してから、その出力を画像処理回路１６、リサイズ回路１７、リサイズ表示回路２４及びＤ／Ａ変換器２８を介して画像表示部に出力してもかまわない。
【００１５】
３０は撮影した画像を格納するためのメモリ領域である。メモリ領域３０と記録媒体６０との間で画像をやり取りすることが可能である。
【００１６】
３２は適応離散コサイン変換（ＡＤＣＴ）とその逆変換等により画像データを圧縮・伸長する圧縮伸長回路である。
【００１７】
本実施例では、撮像素子１２から出力される画像信号をＡ／Ｄ変換器１４を介して画像処理回路１６に入力し、必要があればリサイズ回路１７でリサイズ処理を行い、処理された画像データを、メモリ制御回路１８を介してメモリ領域３０に一旦格納して、そこから画像を読み出して圧縮回路３２で圧縮した後メモリ制御回路１８を介して再びメモリ領域３０に格納して、画像の撮影・記録を実現している。しかしながら本発明においてはこの手段にとらわれず、Ａ／Ｄ変換された画像データを画像処理やリサイズしたあと直接圧縮してもよい。または、Ａ／Ｄ変換された画像データを一旦メモリ領域３０に格納してから、それを読み出して画像処理やリサイズしたあと圧縮してもよい。
【００１８】
また、記録された画像を、メモリ領域３０からメモリ制御回路１８を介して読み出して圧縮・伸長回路３２で伸長し、必要があればリサイズ回路１７でリサイズ処理を行い、処理された画像データを、メモリ制御回路１８を介して画像表示メモリ領域２２に入力し、必要があればリサイズ表示回路２４でリサイズ表示処理をして、Ｄ／Ａ変換器２８を介して画像表示部に表示すれば、記録画像の再生を実現できる。必要に応じてリサイズ回路１７・リサイズ表示回路２４のリサイズ機能を適宜利用すれば、再生ズームを実現することができる。
【００１９】
４０は映像信号処理装置１００全体を制御するシステム制御部であり、ＤＲＡＭ２１を作業領域として使用する。システム制御部４０は、映像信号処理装置１００を制御するためのプログラム等を格納するＲＯＭ、及びプログラムを実行するＣＰＵ等から構成される。
【００２０】
５０はメモリカード等の記録媒体６０とのインターフェース、５２はメモリカード等の記録媒体６０と電気的に接続するコネクタである。記録媒体６０は、半導体メモリ等から構成される記録部６２、映像信号処理装置１００とのインターフェース６４、映像信号処理装置１００と電気的に接続するコネクタ６６からなる。
【００２１】
７０は、再生ズームの倍率を指定する倍率ボタンや位置を指定するための位置ボタンなどを含む操作部である。
【００２２】
図２、図３及び図４を参照して、本実施例において再生ズームを実現する方法を説明する。以下の説明では、記録画像のサイズは１６００ピクセル×１２００ピクセルであり、画像表示部２８は７５２ピクセル×４８０ラインで構成されているものとするが、記録画像のサイズと画像表示部の解像度の組み合わせは、これに限らずいかなる組み合わせでもかまわない。
【００２３】
図２は、ズーム倍率１から拡大する場合である。図２（ａ−１）及び同（ａ−２）は、リサイズ倍率設定中に再生ズームを実現する際の動作例を示す。図２（ａ−１）は、記録された画像を圧縮伸長回路３２で伸長した後、画像表示部２８の画像サイズになるようにリサイズ回路１７でリサイズ処理を行い、処理された画像データを画像表示メモリ領域２２に書き出した画像である。リサイズ倍率が確定していないときには、倍率ボタンと位置ボタンで指定される図２（ａ−１）に波線で示されるような、画像表示メモリ領域内２２の注目領域をリサイズ表示回路２４によって補間拡大表示する。この方法では、図２（ａ−２）のようにモニタ画像は粗くなるが、読み出し領域の切り替えだけでリサイズ表示が実現できるので、素早くて低消費電力な再生ズームが達成できる。
【００２４】
図２（ｂ−１），（ｂ−２），（ｂ−３）は、リサイズ倍率が確定した後の動作例を示す。図２（ｂ−１）は記録された元画像であり、この記録された元画像を圧縮伸長回路３２で伸長した後、決定された所定の倍率になるようにリサイズ回路１７でリサイズ処理を行い、処理された画像データを画像表示メモリ領域２２に図２（ｂ−２）に示すように書き出す。位置ボタンによって指定されるこの画像の注目領域を図２（ｂ−３）に示すようにリサイズ無しで表示すれば、きめの細かい再生ズームが実現できる。
【００２５】
ズーム倍率があまり大きくない場合、元画像は、図２（ｂ−１）から（ｂ−２）へのように縮小される。図３は、ズーム倍率が上がって、元画像のリサイズが必要なくなったときの状態を、図２と同様に示す。
【００２６】
図３の状態からさらにズーム倍率を上げるとき、リサイズ回路１７による拡大でもリサイズ表示回路２４による拡大でも画質は同じなので、それ以上の倍率のときは図４に示すようにリサイズ表示回路２４によりリサイズ表示するほうが、画像表示メモリ領域２２の容量などの点で有利である。
【００２７】
図５は、本実施例における再生ズーム処理シーケンスを示す。倍率ボタンが押されると（Ｓ１０）、画像表示メモリ領域２２から倍率ボタンと位置ボタンで指定される領域をリサイズ表示回路２４でリサイズ表示する（Ｓ１４）。この動作を、倍率ボタンが離されて倍率が確定したことを検出するまで継続する（Ｓ１２）。倍率ボタンが離されると、元画像から画像表示メモリ領域２２の画像をリサイズして作り直して（Ｓ２０）、位置ボタンで指定された位置をリサイズ表示なしで表示する（Ｓ２２）。このとき、倍率が１であれば（Ｓ１６）、現在の画像表示メモリ領域２２の記憶画像をそのまま使って位置ボタンで指定される領域をリサイズ表示なしで表示する（Ｓ２２）。
【００２８】
さらに拡大画像が元画像の解像度の範囲を超える場合は（Ｓ１８）、元画像を補間拡大せずにそのままのサイズで画像表示メモリ領域２２に置いて（Ｓ２４）、リサイズ表示回路２４で倍率ボタンと位置ボタンで指定された領域をリサイズ表示する（Ｓ２６）。
【００２９】
【発明の効果】
以上の説明から容易に理解できるように、本発明によれば、倍率が確定するまでは画像表示メモリ領域の再構成を行わないので、このことによるメモリアクセスとリサイズ処理によって発生していた処理時間と消費電力を省くことができる。倍率確定後は、元画像から画像表示メモリ領域を再構成するので、きめの細かい拡大画像を表示できる。
【図面の簡単な説明】
【図１】本発明の一実施例における映像信号処理装置の概略構成ブロック図である。
【図２】本実施例における再生ズーム動作の説明図である。
【図３】倍率が元画像の解像度の限界である場合の、本実施例における再生ズーム動作の説明図である。
【図４】倍率が元画像の解像度の限界を超えた場合の、本実施例における再生ズーム動作の説明図である。
【図５】本実施例における再生ズーム動作のフローチャートである。
【符号の説明】
１０：撮影レンズ、１２：撮像素子、１４：Ａ／Ｄ変換器、１６：画像処理回路、１７：リサイズ回路、１８：メモリ制御回路、２０：タイミング発生回路、２１：ＤＲＡＭ、２２：画像表示用メモリ領域、２４：リサイズ表示回路、２６：Ｄ／Ａ変換器、２８：画像表示部、３０：メモリ領域、３２：圧縮・伸長回路、４０：システム制御回路、５０：Ｉ／Ｆ部、５２：コネクタ、６０：記録媒体、６２：記録部、６４：Ｉ／Ｆ部、６６：コネクタ、１００：電子スチルカメラ、２１０：リサイズ前の画像表示メモリ領域、２１２：モニタ、２１４：元画像、２１６：リサイズ後の画像表示メモリ領域、２１８：モニタ、２２０：リサイズ前の画像表示メモリ領域、２２２：モニタ、２２４：元画像、２２６：リサイズ後の画像表示メモリ領域、２２８：モニタ、２３０：リサイズ前の画像表示メモリ領域、２３２：モニタ、２３４：元画像、２３６：リサイズ後の画像表示メモリ領域、２３８：モニタ
【図１】
2004112713.tif 000003
【図２】
2004112713.tif 000004
【図３】
2004112713.tif 000005
【図４】
2004112713.tif 000006
【図５】
2004112713.tif 000007